(57)【要約】【課題】防音効果を維持しつつ、吸込力の低下を抑えた電気掃除機を提供する。【解決手段】電動送風機３と、電動送風機３の下側を覆う下ケース６と、電動送風機３から排出された気流を外部に放出する排気口７と、電動送風機３から排出された気流を下ケース６内面に沿って排気口７へ導く排気通路２１を備え、排気通路２１内かつ下ケース６に沿って防音材１０を配設すると共に、防音材１０の上方を開口部１１を有したカバー体１２で覆うもので、下ケース６に沿って配設された防音材１０の上方をカバー体１２で覆うことにより、防音材１０の浮き、膨れを抑えることが可能となり、排気通路面積を安定的に確保して、吸込力の低下を抑えることが出来る。また、カバー体１２は、開口部１１を有しているので、電動送風機３からの騒音は、防音材１０の表面及び内部を通過しながら防音されるので、防音効果も維持することが出来る。【選択図】図１
2013135784.tif 000002
【特許請求の範囲】
【請求項１】
電動送風機と、前記電動送風機の下側を覆う下ケースと、前記電動送風機から排出された気流を外部に放出する排気口と、前記電動送風機から排出された気流を前記下ケース内面に沿って前記排気口へ導く排気通路を備え、前記排気通路内かつ前記下ケースに沿って防音材を配設すると共に、前記防音材の上方を開口部を有したカバー体で覆う電気掃除機。
【請求項２】
電動送風機の外側を覆うと共に下側開口部を有するモーターケースを備え、前記モーターケースの前方に突出部を、後方に支持部をそれぞれ設け、下ケースに前記支持部を軸支する支持ボス部を備え、カバー体の前方に当接部を、後方に前記支持ボス部の外側に嵌まり込む嵌合ボス部をそれぞれ配設し、前記突出部を前記当接部に、前記支持部を前記嵌合ボス部にそれぞれ当接させて、前記カバー体の上側への移動を規制するようにした請求項１に記載の電気掃除機。
【請求項３】
カバー体に、前記カバー体の表面に沿って流れる排気と略同一方向の整流体を配設した請求項１又は２に記載の電気掃除機。
【発明の詳細な説明】
【技術分野】
【０００１】
本発明は、電気掃除機に関するもので、特に、電気掃除機の排気通路に配設された防音手段に関するものである。
【背景技術】
【０００２】
従来の電気掃除機の排気通路の防音手段は、電動送風機の外側を、下側開口部を有するモーターケースで覆い、電動送風機からモーターケースの下側開口部を通過した排気を掃除機本体の下ケースの下壁面に沿って流した後、掃除機本体の後面に配設された排気口より外部に放出するという防音手段を採用しているものが主流であった。
【０００３】
しかしながら、このような従来の電気掃除機の防音手段は、電動送風機の騒音をモーターケースで覆うことで防音すると共に、排気を掃除機本体の下ケースの下壁面に沿って流し、掃除機本体外部への騒音の伝播を低減しているものの、近年、電気掃除機の吸込力が向上するのに伴い、電動送風機の騒音が大きくなる傾向があり、このような場合には、十分な防音効果が得られないという課題があった。
【０００４】
このような背景から、近年、電気掃除機の下ケースの下壁面に沿って防音材を配設し、防音効果を高めることが多くなっている（例えば、特許文献１参照）。
【先行技術文献】
【特許文献】
【０００５】
【特許文献１】特開２０００−２６２４３８号公報
【発明の概要】
【発明が解決しようとする課題】
【０００６】
しかしながら、上記特許文献１に記載されたような従来の電気掃除機の構成では、本来平板状の防音材を電気掃除機の下ケースの下壁面に沿って配設しているため、排気風圧、熱、衝撃等により、防音材が浮き上がり、モーターケースと防音材との空間に形成される排気通路面積が狭くなることで、排気圧損が大きくなり、吸込力が低下するという課題を有していた。
【０００７】
また、特に、電動送風機から発生する高周波音の低減に効果のある綿状の防音材を採用する場合には、防音材の浮きに加え、排気が防音材の中を通過することで綿状の防音材が膨れる場合があり、このような場合には、さらに排気通路面積が狭くなり、吸込力がさらに低下するという課題も有していた。
【０００８】
本発明は、前記従来の課題を解決するもので、防音材の浮き、膨れを低減し、防音効果と吸込力の維持・向上を両立した電気掃除機を提供することを目的とする。
【課題を解決するための手段】
【０００９】
前記従来の課題を解決するために、本発明の電気掃除機は、電動送風機と、前記電動送風機の下側を覆う下ケースと、前記電動送風機から排出された気流を外部に放出する排気口と、前記電動送風機から排出された気流を前記下ケース内面に沿って前記排気口へ導く排気通路を備え、前記排気通路内かつ前記下ケースに沿って防音材を配設すると共に、前記防音材の上方を開口部を有したカバー体で覆うもので、下ケースに沿って配設された防音材の上方をカバー体で覆うことにより、防音材の浮き、膨れを抑えることが可能となり、排気通路面積を安定的に確保して、吸込力の低下を抑えることが出来る。また、カバー体は、開口部を有しているので、電動送風機からの騒音は、防音材の表面及び内部を通過しながら防音されるので、防音効果も維持することが出来る。
【発明の効果】
【００１０】
本発明の電気掃除機は、下ケースに沿って配設された防音材の上方を開口部を有したカバー体で覆うことにより、防音材の浮き、膨れを抑えることが可能となり、防音効果を維持しつつ、排気通路面積を安定的に確保することで吸込力の低下を抑えることが出来る。
【図面の簡単な説明】
【００１１】
【図１】本発明の実施の形態１における電気掃除機の掃除機本体の要部断面図
【図２】同掃除機本体の要部分解斜視図
【図３】同掃除機本体のカバー体、防音材、下ケースの関係を示す要部分解斜視図
【発明を実施するための形態】
【００１２】
第１の発明は、電動送風機と、前記電動送風機の下側を覆う下ケースと、前記電動送風機から排出された気流を外部に放出する排気口と、前記電動送風機から排出された気流を前記下ケース内面に沿って前記排気口へ導く排気通路を備え、前記排気通路内かつ前記下ケースに沿って防音材を配設すると共に、前記防音材の上方を開口部を有したカバー体で覆うもので、下ケースに沿って配設された防音材の上方をカバー体で覆うことにより、防音材の浮き、膨れを抑えることが可能となり、排気通路面積を安定的に確保して、吸込力の低下を抑えることが出来る。また、カバー体は、開口部を有しているので、電動送風機からの騒音は、防音材の表面及び内部を通過しながら防音されるので、防音効果も維持することが出来る。
【００１３】
第２の発明は、特に、第１の発明の電動送風機の外側を覆うと共に下側開口部を有するモーターケースを備え、前記モーターケースの前方に突出部を、後方に支持部をそれぞれ設け、下ケースに前記支持部を軸支する支持ボス部を備え、カバー体の前方に当接部を、後方に前記支持ボス部の外側に嵌まり込む嵌合ボス部をそれぞれ配設し、前記突出部を前記当接部に、前記支持部を前記嵌合ボス部にそれぞれ当接させて、前記カバー体の上側への移動を規制するようにしたもので、特別な係止手段を追加することなく、安易かつ確実にカバー体の浮きを防止することが可能となり、吸込力を安定化することが出来る。
【００１４】
第３の発明は、特に、第１又は第２の発明のカバー体に、前記カバー体の表面に沿って流れる排気と略同一方向の整流体を配設したもので、防音材の表面より上方を流れる排気の整流が可能となり、吸込力を向上させることが出来る。
【００１５】
以下、本発明の実施の形態について、図面を参照しながら説明する。なお、この実施の形態によって本発明が限定されるものではない。
【００１６】
（実施の形態１）
図１は、本発明の実施の形態１における電気掃除機の掃除機本体の要部断面図、図２は、同掃除機本体の要部分解斜視図、図３は、同掃除機本体のカバー体、防音材、下ケースの関係を示す要部分解斜視図である。
【００１７】
図１〜図３に示すように、本実施の形態における電気掃除機の掃除機本体１は、吸込口体（図示せず）と延長管（図示せず）と連通するホース（図示せず）が接続され、前部にホースと連通する吸引口２を、後部に電動送風機３を、また吸引口２と電動送風機３との間に集塵体４をそれぞれ有している。
【００１８】
また、掃除機本体１は、上ケース５と下ケース６から形成されており、上ケース５の後端には、電動送風機３からの排気を掃除機本体１の外部へ放出する排気口７が配設されている。
【００１９】
電動送風機３の外側は、下側開口部８を有するモーターケース９で覆われており、そのモーターケース９と下ケース６との間に、下側開口部８から排出された電動送風機３の排気風を下ケース６の内面に沿って排気口７に導く排気通路２１が形成され、さらに、下ケース６の下壁面に沿って防音材１０が配設されている。
【００２０】
ここで、防音材１０の上方は、開口部１１を有するカバー体１２で覆われており、カバー体１２の前端は、カバー体１２の当接部１３をモーターケース９の突出部１４で押さえると共に、後端は、カバー体１２の嵌合ボス部１５を下ケース６の支持ボス部１６に貫通させた後、モーターケース９の支持部１７で押さえることで、カバー体１２の上側への移動規制をしている。
【００２１】
さらに、カバー体１２の開口部１１を形成する下ケース６の下壁面に沿った形状の格子部１８には、カバー体１２の表面に沿って流れる排気と略同一方向の整流リブ１９を配設すると共に、嵌合ボス部１５の下流側には、カバー体１２の表面に沿って流れる排気と略同一方向の流線型整流部２０を配設している。
【００２２】
以上のように構成された本実施の形態における電気掃除機の動作、作用を説明する。
【００２３】
まず、掃除機本体１が運転状態になると、電動送風機３からの吸引力により発生する吸込気流は、吸込口体、延長管、ホース、集塵体４を介して電動送風機３に吸引され、電動送風機３から排出された大半の排気は、モーターケース９の下側開口部８、防音材１０を介して、上ケース５の後端の排気口７より掃除機本体１の外部へ放出される。
【００２４】
ここで、電動送風機３から下側開口部８を通過した排気は、防音材１０の表面、内側を通過しながら防音されると共に、カバー体１２の上方を流れる排気は、整流リブ１９と流線型整流部２０で整流された後、掃除機本体１の外部へ放出される。
【００２５】
以上のように、本実施の形態１においては、下ケース６に沿って配設された防音材１０の上方をカバー体１２で覆うことにより、排気風圧、熱、衝撃が加わった場合においても、防音材１０の浮き、膨れを抑えることが可能となり、排気通路面積を安定的に確保することで、吸込力の低下を抑えることが出来る。
【００２６】
また、カバー体１２は、開口部１１を有しているので、電動送風機３からの騒音は、防音材１０の表面及び内部を通過しながら防音されるので、防音効果も維持することが出来る。
【００２７】
ここで、電動送風機３からの高周波音を抑えたい場合などに、綿状の防音材１０を採用した場合においても、同様の効果を得ることが出来る。
【００２８】
また、カバー体１２の取り付け手段として、電気掃除機の防音手段として通常配設されるモーターケース９の突出部１４と支持部１７で上側の移動規制をしているので、特別な係止手段を追加することなく、安易かつ確実にカバー体１２の浮きを防止することが可能となり、吸込力を安定化することが出来る。
【００２９】
また、カバー体１２の格子部１８に整流リブ１９を配設することで、防音材１０の上方を流れる排気の整流化が出来ると共に、カバー体１２の嵌合ボス部１５の上流側に流線型整流部２０を配設することで、下ケース６の支持ボス部１６で発生する乱流を抑えることが可能となり、吸込力を向上させることが出来る。
【産業上の利用可能性】
【００３０】
以上のように、本発明にかかる電気掃除機は、防音効果を維持しつつ、吸込力を維持・向上させることが出来るので、家庭用、店舗用、業務用の各種電気掃除機に有用である。
【符号の説明】
【００３１】
３    電動送風機
６    下ケース
７    排気口
９    モーターケース
１０  防音材
１１  開口部
１２  カバー体
２１  排気通路
【図１】
2013135784.tif 000003
【図２】
2013135784.tif 000004
【図３】
2013135784.tif 000005